(57)【要約】【課題】  内面に透過面を含む鏡筒を用いる従来の万華鏡では、鏡筒と外筒の相互位置関係が固定されているため、透過面より観察できる周辺映像は固定した同一の映像しか観察できなかった。このため、周辺映像は、千変万化する中心映像と比べると極めて多様性に乏しく、改良すべき課題であった。【解決手段】  上記の課題を解決するために、内面に透過面を有する鏡筒を用いる万華鏡において、鏡筒及び外筒の間に回転機構を設け両者の相互の角度位置を可変にすることを考案し、従来の万華鏡と比べて多様な映像を観察できるようにした。この際、回転の自由度を与えることに起因して、破損や分解しやすくなりガラス砕片などを含むオブジェクトが放出されて怪我や事故が生じないように、分解できない構造を考案した。【選択図】図１
2008009351.tif 000002
【特許請求の範囲】
【請求項１】
透過面を有する鏡筒を用いる万華鏡において、鏡筒の透過面から観察される外筒の内外面に取り付けられるか描かれたオブジェクトを選択するために、鏡筒及び外筒の間に回転機構を設け、両者の相互の角度位置を可変にすることによって、多様な映像を鑑賞できるようにした万華鏡。
【請求項２】
一般の万華鏡において、接眼レンズ部を固定している鏡筒とそれ以外の部分を組み付けた外筒部分の間に回転機構を設け、接眼レンズ部を静止したまま外筒部を回転しオブジェクトを可変できるようにして接眼部位が肉眼と相対運動をなくし、肉眼を十分に接眼レンズに接近させても角膜などの肉眼の部分を傷つける可能性を大幅に低減した万華鏡
【請求項３】
プラグとソケットからなる二重環状の回転機構を用い、内環となるプラグには接眼レンズと鏡筒を固定し、外環となる差込ソケットには外筒を固定し、プラグの差込部分の先端に返しのある突起を設けその外径をソケット内径より大きくし突起がソケット内径を通過する際に弾性変形が可能なように短冊状にすり割り加工を行い、一旦プラグをソケットに挿し込むと分解ができなくなる回転機構を用いて、オブジェクトの飛散を防止し安全性を確保した請求項１の万華鏡
【請求項４】
請求項１に係わる万華鏡は、従来の万華鏡と比べてオブジェクトが空間的により広い範囲に存在することになるため、従来の万華鏡と比べてより精密な明視条件の実現が必要となるので、個々の観察者に適した明視条件を実現できる補正レンズを接眼レンズ部にワンタッチで組み付けることができる視度補正アダプタを併用する万華鏡
【請求項５】
一般の万華鏡において、個々の観察者に適した明視条件を実現できる補正レンズを接眼レンズ部に迅速かつ簡単に組み付けることができる視度補正アダプタを組み合わせる万華鏡
【発明の詳細な説明】
【技術分野】
【０００１】  本発明は、映像の多様性、視認性、および、安全性を増した万華鏡に関するものである。
【背景技術】
【０００２】  万華鏡は、内面に複数の鏡面を含む多角中空筒体を鏡筒とし、その一端に接眼レンズを取り付け他端に映像の素となるオブジェクトを内包するオブジェクトケースを対向させた光学系を主要な機能要素とし、それらを筒状である外筒の内部及び両端に配置する構造であり、接眼レンズより内部を覗くとオブジェクトや外界が多重に鏡面で反射されて作り出される幾何学的対象性を有する多様な映像を観察することができる光学応用装置である（例えば、非特許文献１参照。）。映像の多様性は多様な形態と色彩を有するオブジェクトの組み合わせの偶然性に起因し、映像はまさに千変万化する。この予想の範囲を超える多様性のゆえに、視角的楽しみを得る目的や、意匠デザインの道具として用いられている。従来の万華鏡は、鏡筒、接眼レンズ、オブジェクトケースを外筒に固定することによって組み立てられるか、オブジェクトケースだけが可動できる構成である。鏡筒としては、多くの場合３乃至４角中空筒体が用いられる。
内面が全て鏡面である鏡筒が代表的であるが、３角中空筒体の一つの内面を鏡面とせず透過面又は黒い吸収面とした鏡筒、４角中空筒体では１（例えば、特許文献１）乃至２面を鏡面でない非鏡面とする鏡筒も用いられている。内面が全て鏡面の鏡筒では、鏡筒の軸方向に位置する軸方向オブジェクトが平面上に無限に繰り返される幾何学的対象性を持った映像が観察できる。【０００３】  一方、鏡面でない内面を有する鏡筒では、鏡筒の構成毎に異なった映像が観察できる。例として、３角中空筒体で一面が透過面であり二つの鏡面が挟角が小さい二等辺である場合について記すと、視野の中心部に鏡筒の軸方向端に設置されたオブジェクトが３６０度展開した扇状に繰り返しす中心映像が観察され、さらにその外側には透過面から見えるオブジェクトが同様な扇状に繰り返す周辺映像が観察できる（例えば、非特許文献１参照。）。この鏡筒は、二枚の鏡をＶ字形に配置した鏡筒であるので、以降Ｖ字形鏡筒と記す。
【特許文献１】実願２００４−７９２５。
【非特許文献１】「万華鏡の本」、日本万華鏡博物館（東京都渋谷区鶯谷町７−１  渋谷マンション３１０、電話番号０３−３４６３−６９１６）刊。
【発明の開示】
【発明が解決しようとする課題】
【０００４】  鏡面でない内面を有する鏡筒でその面が透過面である場合には、透過面から観察できるオブジェクトは、軸方向のオブジェクト近傍が明視できる接眼レンズを選定することと肉眼の焦点深度が制限されていることに起因し、軸方向オブジェクト周辺、及び、透明又は外面のみを摺りガラス状とした外筒の内外面上など鏡筒の透過面の近傍に限られる。しかしながら、透明な外筒に描かれた絵画的模様又は写真映像をオブジェクトとする場合は、従来の万華鏡では鏡筒と外筒の相互位置関係が固定されているため、周辺映像としては同一の映像しか観察できなかった。このため、周辺映像は、千変万化する中心映像と比べると極めて多様性に乏しく、改良すべき課題であった。
本万華鏡に付随して、次のような副次的な課題が発生した。すなわち、軸方向オブジェクトと径方向オブジェクトの位置が大きく異なる場合には、予め装着した接眼レンズだけでは、高齢者をはじめとして視度調節能力が小さい観察者が両方のオブジェクトの鮮明な映像を観察することができなくなるという問題が生じた。
万華鏡内の視野を広げるためには、肉眼を接眼レンズに接近させるほうが良いので、肉眼を接眼レンズに接触させたり、擦過して角膜を傷つける危険性があった。
【課題を解決するための手段】
【０００６】  上記の課題を解決するために、本発明請求項１に記したように、透過面を有する鏡筒を用いる万華鏡において、長手軸方向に配置された軸方向オブジェクトと鏡筒の透過面から観察される外筒の内外面に取り付けられるか描かれた径方向オブジェクト及びそれらの鏡像からなる映像を鑑賞する万華鏡において、鏡筒及び外筒の間に回転機構を設け両者の相互の角度位置を可変にすることによって、多様な映像を観察することができるようにした。【０００７】  万華鏡のオブジェクトは、色彩と形状を重視するため色ガラスなどの材料を鋭い形状に加工した物体を用いる。万華鏡が容易に分解しうる構造であると、過誤や故意によってそれらが飛散する結果として、目や皮膚を害する可能性や、乳幼児が嚥下する可能性がありうる。本発明では、容易に分解できない構造とすると同時に、上記の運動自由度を達成するという相反する課題を克服できる構造を発明した。本発明の請求項２に示したように、プラグとソケットからなる二重環状の回転機構を用い、内環となるプラグには接眼レンズと鏡筒を固定し、外環となる差込プラグには外筒を固定し、ソケットの差込部分の先端に返し突起を設け弾性変形が可能な短冊状にすり割り加工し、一旦プラグをソケットに挿し込むと分解ができなくなる回転機構を用いることにより最終組み立て後には分解が機構的にできなくなり、オブジェクトの飛散を防止できる構造を考案し安全性を高めた。
さらに、接眼部位が肉眼と相対運動がなくなるので、広い視野を得るために肉眼を十分に接眼レンズに接近させても角膜などの肉眼部分を傷つける可能性を大幅に低減した万華鏡の安全性の改善を実現した。【０００８】  個々の観察者の視度能力に合わせて容易に視度補正を行うために、予め視度補正レンズを組み込んだ視度補正アダプタを準備しておき、接眼レンズ４と組み合わせて視度補正を実現する方式を考案した。本アダプタでは、視度補正レンズとしてめがねレンズの単位であるジオプター単位で、正負各１から５単位のものを使用する。
【発明の効果】
【０００９】  本発明によって、映像の多様性を高め、且つ、観察を容易にし、さらに、安全性を確保した万華鏡が実現できた。
【発明を実施するための最良の形態】
【００１０】    以下、本発明に係わる万華鏡を図面を参照して詳細に説明する。図１乃至図５は、本発明に係わる万華鏡を示すものである。図１は基本構造、図２は構成部品、図３は部品組み立て状態、図４は完成図を示す。図５は、視度補正アダプタ及び取り付け部の構造を示す。最良の形態として、Ｖ字型鏡筒を例に取って記述するが、同様の構成によって、請求項２および５の一般の万華鏡の改良も可能である。【００１１】    図１は、本発明の万華鏡の構想を示したものである。説明は、２枚の平面鏡をＶ字型に組み合わせ中空三角筒の一面が透過面となっているＶ字型鏡筒に即して記述されている。しかし、最期の画像例を除けば、他の透過面を有する鏡筒も組み込むことができる。接眼カバー１１に覆われた接眼レンズ４とＶ字形鏡筒が回転機構８の接眼側部品であるプラグに固定され、回転外筒６は回転機構８のオブジェクト側部品であるソケットに固定されている。このため接眼レンズ部を手で持って、回転外筒６をまわすと、Ｖ字型鏡筒１の鏡筒透過面３が回転外筒６の表面に取り付けられるか描かれた回転外筒上径方向オブジェクト６を縦覧していくので、それに対応したオブジェクトと軸方向オブジェクト５と組み合わせて、多様な映像を出現させ鑑賞することができる。図に描かれているオブジェクトは説明のため簡略化してあるが、二つの回転外筒上径方向オブジェクト６と二組の軸方向オブジェクトを組みあわせるだけで、図の下部に示したように、４通りの映像を作ることができる。オブジェクトの種類、数を増やし、鏡筒開放面の方向を微細に変えることによって多様な映像を鑑賞することができる。
観察対象であるオブジェクトは、軸方向オブジェクト室内及び回転外筒の内面又は外面近傍に存在するため、両方のオブジェクトの距離が大きく異なる場合には両者を肉眼で明視することが難しくなる。この問題を解決するために、観察者個々の肉眼条件に適した視度補正レンズ１７をワンタッチで接眼レンズ４に装着できる組み込んだ視度補正アダプタ１６を考案した。【００１２】    図２には、回転機構８の部品が示されている。回転機構８を構成する部品は、返し突起式回転機構ソケット１３と返し突起式回転機構プラグ１２であり、後者に加工された先端に返し突起付きリード１４が嵌めあわせ時に弾性変形し、前者の内径に追従して縮小し、そこを通り過ぎると再びリード部が拡大するため返し突起のあごがひっかて、一度組み立てると分解ができない構造となっている。この機構によって、接眼レンズ部と回転外筒が容易に回転運動できると共に、小さな力、衝撃や乳幼児によって容易に解体され内部のオブジェクトが四散する危険を防止できる。図３は、組み立て状況を示している。接眼レンズ４とＶ字形鏡筒を鏡筒取り付け板に接着固定し、同心性を確保しつつ返し突起式回転機構プラグと透明区画板９を接着固定して接眼鏡筒部を組み立てる。返し突起式回転機構ソケットを回転外筒３に接着固定して回転外筒部を組み立てる。回転外筒３に、軸方向オブジェクトを投入する。各部微調整を行った後、接眼鏡筒部を回転外筒部に挿入し、返し突起を押し込むと、完成する。図４は完成図を示す。接眼カバー１１は接眼鏡筒部に予め取り付けておくか、最期に取り付ける。【００１３】  図５に示すように、視度補正レンズは、視度補正レンズ枠１９に固定し、接眼レンズカバーにアダプタレンズ取り付けネジ１８、アダプタ取り付け磁石２０又はアダプタ取り付けゴヌキャップ２１で、接眼レンズカバー１１に簡単な操作又はワンタッチで取り付ける。
【産業上の利用可能性】
【００１４】    産業上では、料紙、織物や建材などの表面の模様をデザインする際に、本万華鏡を利用し、軸方向オブジェクトと径方向オブジェクトを選択し組み合わせることにより、多量のパターンを生み出し、参照することができる。
【図面の簡単な説明】
【００１５】
【図１】外筒と鏡筒が相互に任意に回転できる万華鏡  〔表１〕映像番号（鏡筒透過面方向と軸方向オブジェクトを組み合わせた映像例）
【図２】突起式回転機構を組み込んだ当該万華鏡の部品図
【図３】部品組立図
【図４】分解防止対策を施した返し突起式回転機構を組み込んだ当該万華鏡の完成図
【図５】視度補正アダプタ
【符号の説明】
【００１６】  １．平面鏡
２．Ｖ字形鏡筒
３．鏡筒開放面
４．接眼レンズ
５．軸方向オブジェクト
６．回転外筒
７．回転外筒上径方向オブジェクト
８．回転機構
９．透明区画板
１０．軸方向オブジェクト室
１１．接眼カバー
１２．返し突起式回転機構プラグ
１３．返し突起式回転機構ソケット
１４．返し突起付きリード
１５．鏡筒取付板
１６．視度補正アダプタ
１７．視度補正レンズ
１８．アダプタ取り付けネジ
１９．視度補正レンズ枠
２０．アダプタ取り付け磁石
２１．アダプタ取り付けゴム
【図１】
2008009351.tif 000003
【図２】
2008009351.tif 000004
【図３】
2008009351.tif 000005
【図４】
2008009351.tif 000006
【図５】
2008009351.tif 000007